(57)【特許請求の範囲】
【請求項１】
踏み板と足裏との接する領域より広く、しかも左右の脚型を一体にくっつけて左右一体脚型にしたシートを階段の各踏み板に貼ってある構成において、前記踏み板の先端方向に前記の左右一体脚型のシートのつま先が向いており、しかも前記左右一体脚型のシートが階段の昇降方向に直線状に並ぶように、各踏み板に貼ってあることを特徴とする階段。
【請求項２】
前記の左右一体脚型のシートの踏み板先端から突き出した部位を下に折り曲げて、直ぐ下側の段鼻部や蹴込み板に貼り付けてあることを特徴とする請求項１に記載の階段。
【請求項３】
前記の左右一体脚型のシートの外周位置及び／又は踏み板先端の部位に、一定幅の蓄光材を設けてあることを特徴とする請求項１又は請求項２に記載の階段。
【請求項４】
前記シートが弾力を有し、緩衝性を有することを特徴とする請求項１、請求項２又は請求項３に記載の階段。
【請求項５】
１段おきに交互に前記シートの色の濃淡を変え又は１段おきに交互に前記シートを異なる色にしたことを特徴とする請求項１から請求項４までのいずれかに記載の階段。
【発明の詳細な説明】
【技術分野】
【０００１】
本発明は、特に高齢者にとって安全な配慮を施した階段に関する。
【背景技術】
【０００２】
高齢者は体力の衰えに伴って転倒する事故が増えており、特に階段を降りる際に足を踏み外すケースが多い。また上る際は、つま先が充分に上がらずにつまずくことがある。
このような問題を解消すべく、特許文献１のように、階段の踏板の先端を加工して、ノンスリップ用の凹溝を形成した部材を取付ける構造が提案されている。或いは、特許文献２のように、階段の踏板基材の先端側上面に複数条の溝を加工し、この溝に軟質樹脂製の滑り止め材を上面から微小量突出させた状態で着脱可能に嵌め込んだ構造も提案されている。
特許文献３のように、階段全面をシート本体で覆い、そのシート本体は、踏み板先端の部位に凹溝と凸条を交互に設けた構造が提案されている。
【先行技術文献】
【特許文献】
【０００３】
【特許文献１】特開2000−8573
【特許文献２】特開2007−291722
【特許文献３】特開2012-26148
【発明の概要】
【発明が解決しようとする課題】
【０００４】
ところが、特許文献１の構造では、全踏板の先端を加工しなければならず、また取り外しはできない。特許文献２の構造は、全踏板の先端側上面に複数条の溝を加工して軟質樹脂製の滑り止め材を嵌め込む必要があり、コスト高となる。特許文献３の構造は、階段全面をシート本体で覆い、しかも凹溝と凸条を交互に設けるので高価となり、しかも取り外しが効かない。
加えて、以上全体の欠点として、夜などの暗闇では、しっかりと照明しないと、高齢者には不親切である。不要になった際に取り外すこともできない。
本発明の技術的課題は、このような問題に着目し、暗闇でも階段を踏み外すことがなく、不要になったら取り外すこともできる階段構造を実現する。
【課題を解決するための手段】
【０００５】
本発明の技術的課題は次のような手段によって解決される。請求項１は、踏み板と足裏との接する領域より広く、しかも左右の脚型を一体にくっつけて左右一体脚型にしたシートを階段の各踏み板に貼ってある構成において、前記踏み板の先端方向に前記の左右一体脚型のシートのつま先が向いており、しかも前記左右一体脚型のシートが階段の昇降方向に直線状に並ぶように、各踏み板に貼ってあることを特徴とする階段である。
【０００６】
請求項２は、前記の左右一体脚型のシートの踏み板先端から突き出した部位を下に折り曲げて、直ぐ下側の段鼻部や蹴込み板に貼り付けてあることを特徴とする請求項１に記載の階段である。
【０００７】
請求項３は、前記の左右一体脚型のシートの外周位置及び／又は踏み板先端の部位に、一定幅の蓄光材を設けてあることを特徴とする請求項１又は請求項２に記載の階段である。
【０００８】
請求項４は、前記シートが弾力を有し、緩衝性を有することを特徴とする請求項１、請求項２又は請求項３に記載の階段である。
【０００９】
請求項５は、１段おきに交互に前記シートの色の濃淡を変え又は１段おきに交互に前記シートを異なる色にしたことを特徴とする請求項１から請求項４までのいずれかに記載の階段である。
【発明の効果】
【００１０】
請求項１のように、踏み板と足裏との接する領域より広く、しかも左右の脚型を一体にくっつけて左右一体脚型にしたシートを階段の各踏み板に貼ってある構成において、前記踏み板の先端方向に前記の左右一体脚型のシートのつま先が向いており、しかも前記左右一体脚型のシートが階段の昇降方向に直線状に並ぶように、各踏み板に貼ってあるので、高齢者が階段を踏み外して怪我するなどの問題が解消される。
【００１１】
請求項２のように、前記の左右一体脚型のシートの踏み板先端から突き出した部位を下に折り曲げて、直ぐ下側の段鼻部や蹴込み板に貼り付けてあるので、高齢者が間違いなく脚で踏めるように充分に大きく作製しておき、踏み板１…から先端がはみ出した場合に備えて、折り曲げ位置の目安となるように鎖線の部位に印を設けておくのがよい。すなわち、所望の位置で下に折り曲げて、直ぐ下側の段鼻部や蹴込み板６に貼り付けることができる。
【００１２】
請求項３のように、前記の左右一体脚型のシートの外周位置及び／又は踏み板先端の部位に、一定幅の蓄光材を設けてあるので、蓄光材が光っている部位より内側を踏めば、夜の暗闇でも安全に階段の登り降りができる。
【００１３】
請求項４のように、前記シートが弾力を有し、緩衝性を有するので、階段を降りる際に脚に受ける衝撃が弱くなり、安全である。
【００１４】
請求項５のように、１段おきに交互に前記シートの色の濃淡を変え又は１段おきに交互に前記シートを異なる色にしたので、異なる段であることが容易に判別でき、階段の踏み外しを防止できる。
【図面の簡単な説明】
【００１５】
【図１】本発明による安全な階段の斜視図である。
【図２】シート状の左右の脚型である。
【図３】左右一体型のシート状の脚型である。
【図４】図３のシート状脚型の正面図である。
【図５】蓄光材入りのテープを示す平面図である。
【図６】左右一体型シートの先端の折り曲げ部上に蓄光テープを貼った平面図である。
【図７】(1)(2)は、足裏のツボを指圧する器具の平面図と正面図である。
【発明を実施するための形態】
【００１６】
図１は本発明の基本的思想であり、階段の各段の踏み板１…に交互に、左右の脚型を描いてある。すなわち、２１は左の脚型、２２は右の脚型である。従って、左右の脚型２１、２２、２１、２２…のように、各脚型の上を踏めば、脚を踏み外すことはない。
このような脚型２１、２２、２１、２２…を描くより、踏み板１…の全面にニスなどを塗布して、美観を出すのも有効である。この場合に、踏み板１…を１段おきに交互に濃淡を出すと、段違いを判別し易いので、踏み外しを防止できる。なお、このように塗料を塗布した上で、図示のように脚型を描いたり、張り付けてもよい。ニスは塗料に含まれる。
すなわち、図２のように、左右の脚型をしたシート３１、３２…を販売可能とし、買ってきて踏み板１…に貼り付けて使用することもできる。
しかし、左右の脚型２１、２２、２１、２２…に従って、或いは脚型シート３１、３２…に従って、踏みながら階段を降りるのは、実際上、高齢者には困難である。
【００１７】
そこで、実際は、図３のように、左右の脚型を一体にくっつけたデザイン４にする。このように、左右一体の脚型４を踏み板１…に描いたり、シートにして貼っておくと、左脚でも右脚でも踏めるし、左右を区別する必要はなく楽である。しかも、この一体脚型４をシート状とし、購入可能にすると、この一体脚型４のシートを何枚か購入して来て、踏み板１…に貼り付けるだけで足りるので、工事は簡単であり、不要となったら容易に取り外すこともできる。
【００１８】
この一体脚型のシート４は、高齢者が間違いなく脚で踏めるように充分に大きく作製しておき、踏み板１…から先端がはみ出した場合に備えて、折り曲げ位置の目安となるように鎖線の部位に印を設けておくのがよい。すなわち、所望の位置で下に折り曲げて、直ぐ下側の段鼻部や蹴込み板６に貼り付ける。
さらに、暗闇でも見えるように外周５は蓄光材入りにしておくのがよい。また、階段を登り降りする際の衝撃力で膝を傷めたりしないように、一体型シート４は、図４のようなゴム質や軟質の合成樹脂製、発泡樹脂製の薄板として、弾力を備えた緩衝性を持たせておくと、階段を降りる際の衝撃を和らげることができる。
加えて、一体型シート４の表面を粗面化してザラザラにすると、踏んだ場合に脚が滑りにくく安全であり、断熱性が高いので冬でも冷たくない。
【００１９】
図３の左右一体型の脚型４を鎖線位置で下に折って貼ると、その先の蓄光材入り外周５が見えないので、図５のような蓄光材入りのテープ７を買って来て、折り曲げ部の上面に図６のように貼ると、その先は階段の鼻部であることを容易に判別でき、踏み外し事故を防止できる。
そのほか、階段の上側又は下側の空いた広い領域に図７のような足裏指圧器を置いておき、階段を昇降した際に又は昇降する前に使用すると、脚を鍛練でき、ロコモ防止に有効である。図７の(1) は平面図、(2) は正面図である。ボールを使用しないときは、鎖線のように突起の間に置けるし、ボールを使用して運動する契機になる。なお、ボールを踏んで前後に転がすと、脚裏が敏感になる。
【産業上の利用可能性】
【００２０】
以上のように、本発明によると、蓄光材入りの縁を有する脚型シートを階段の踏み板に貼るので、暗闇でも階段を踏み外すことがなく、また不要になったら取り外すこともできるので、高齢者が階段を踏み外して怪我するなどの問題が解消される。
【符号の説明】
【００２１】
１…  各段の踏み板
２１  左の脚型
２２  右の脚型
３１、３２…  左右の脚型シート
４  左右の脚型を一体にくっつけたデザインの一体脚型シート
５  一体脚型シートの外周
６  蓄光材入りのテープ
７  足裏指圧器
【図１】
0006514483.tif 000002
【図２】
0006514483.tif 000003
【図３】
0006514483.tif 000004
【図４】
0006514483.tif 000005
【図５】
0006514483.tif 000006
【図６】
0006514483.tif 000007
【図７】
0006514483.tif 000008